(57)【要約】【課題】  画像形成に係る複数の設定項目を有し、該複数の設定項目の中から所望する設定項目の選択設定が可能な複合機１０１において操作パネル１０２の操作性を向上させるとともに、操作者の混乱を防ぐこと。【解決手段】  モードＯＮ−ＯＦＦ判断手段１１７ａが課金モードが選択設定されていると判断すると、モード表示停止手段１１７ｂは、該課金モードの構成要素として必然的に含まれているアクセス制御モードとログ取得モードの同時設定を停止する。【選択図】図１
2008205949.tif 000002
【特許請求の範囲】
【請求項１】
画像形成に係る複数の設定項目を有し、該複数の設定項目の中から所望する設定項目の選択設定が可能な画像形成装置であって、
所定の設定項目が選択設定されると、他の設定項目の設定が停止される設定項目停止手段を備えることを特徴とする画像形成装置。
【請求項２】
画像形成に係る複数の設定項目を有し、該複数の設定項目の中から所望する設定項目の選択設定が可能な画像形成装置であって、
所定の設定項目が選択設定されると、他の設定項目が共に設定され、前記所定の設定項目が設定取消されると前記他の設定項目を前記設定以前の状態に復帰させる設定項目復帰手段を備えることを特徴とする画像形成装置。
【請求項３】
前記他の設定項目は、前記所定の設定項目の構成要素に含まれることを特徴とする請求項１または請求項２に記載の画像形成装置。
【請求項４】
画像形成に係る複数の設定項目を有し、該複数の設定項目の中から所望する設定項目の選択設定が可能な画像形成装置であって、
所定の設定項目が選択設定されると、他の設定項目の設定が停止される設定項目停止手段と
前記所定の設定項目が選択設定されると、該選択設定時における前記他の設定項目の設定状態を保存する設定項目保存手段を備えることを特徴とする画像形成装置。
【請求項５】
画像形成に係る複数の設定項目を有し、該複数の設定項目の中から所望する設定項目の選択設定が可能な画像形成装置であって、
所定の設定項目が選択設定されると、他の設定項目の設定が停止される設定項目停止手段と、
前記所定の設定項目が選択設定されると、該選択設定時における前記他の設定項目の設定状態を保存する設定項目保存手段と、
前記所定の設定項目が設定取消されると前記他の設定項目を前記共に設定以前の状態に復帰させる設定項目復帰手段とを備えることを特徴とする画像形成装置。
【請求項６】
前記所定の設定項目は、課金機能を含む項目であり、前記他の設定項目は、アクセス制御機能を含む項目、及びログ取得機能を含む項目の少なくとも一方を含むことを特徴とする請求項１から請求項５までの何れか一項に記載の画像形成装置。
【請求項７】
前記画像形成装置の外部に接続される外部装置から、前記設定項目の選択設定を可能とするデータ送信手段を更に備えることを特徴とする請求項１から請求項６までの何れか一項に記載の画像形成装置。
【発明の詳細な説明】
【技術分野】
【０００１】
本発明は、画像形成装置に関する。
【背景技術】
【０００２】
従来から、ユーザの認証や承認を行うアクセス制御機能と、ある機能を実行した時の実行ログを取得するログ取得機能と、印刷枚数等により料金を課す課金機能とを備える複合機が普及している。ここで課金機能は、上記アクセス制御機能と上記ログ取得機能の両方の機能を兼ね備えている。かかる複合機では、システム設定画面を操作することにより、上記各機能に関して、その有効・無効の設定を個別に行うことができた（特許文献１参照）。
【特許文献１】特開平０５−８５０１５号公報
【発明の開示】
【発明が解決しようとする課題】
【０００３】
しかしながら、上記従来の複合機において、課金機能を有効にしたまま何らかの事情でログ取得を禁止させたい場合が発生したとする。かかる場合に管理者が、ログ取得機能を無効に設定したとしても、この無効設定は、ユーザによるログ取得要求には何ら禁止効力を発揮せず、ユーザの混乱を招くという解決すべき課題が残されていた。なぜならば、上記のように課金機能はアクセス制御機能及びログ取得機能双方を兼ね備えているため、ログ取得機能の無効設定は課金機能の有効設定までには及ばないためである。
【課題を解決するための手段】
【０００４】
本発明は、画像形成に係る複数の設定項目を有し、該複数の設定項目の中から所望する設定項目の選択設定が可能な画像形成装置であって、所定の設定項目が選択設定されると、他の設定項目の設定が停止される設定項目停止手段を備えることを主要な特徴とする。
【発明の効果】
【０００５】
所定の設定項目が選択設定されると、他の設定項目の設定が停止される設定項目停止手段を備えるので操作パネルの操作性を向上させるとともに、操作者の混乱を防ぐという効果を得る。
【発明を実施するための最良の形態】
【０００６】
以下、本発明の一実施形態を図を用いて詳細に説明する。
【実施例１】
【０００７】
（構成）の説明
図１は、実施例１のプリンタ、スキャナ、ファクシミリ等を備えた複合機の構成を説明するための機能ブロック図である。
図に示すように、実施例１の複合機１０１は、操作パネル１０２と、認証制御部１０３と、暗証番号比較部１０４と、暗証番号管理部１０５と、不揮発性メモリ１０６と、処理設定部１０７と、処理実行部１０８と、印刷実行部１０９と、スキャン実行部１１０と、ファックス実行部１１１と、ログ格納部１１２と、ログ取得部１１３と、パスワード比較部１１４と、パスワード管理部１１５、パラメータ管理部１１６と、操作パネル制御部１１７と、表示文字列管理部１１８とを備える。
【０００８】
操作パネル１０２は、ユーザまたは管理者（以下両者を含む場合は操作者と記す）による処理の設定や暗証番号等の入力を受け入れる操作盤である。ここで操作パネルの概要について説明する。
【０００９】
図２は、操作パネルの外観構成図である。
操作パネル１０２は、英数字、または記号を入力するボタン２０１〜ボタン２１２と、上カーソルキー２１３、右カーソルキー２１４、下カーソルキー２１５、および左カーソルキー２１６と、決定を入力するＥｎｔｅｒキー２１７と、表示画面２１８と、ジョブをキャンセルするボタン２１９と、ジョブを起動させるボタン２２０からなる。以下図１に戻って実施例１の複合機１０１の構成についての説明を続ける。
【００１０】
認証制御部１０３は、暗証番号やパスワードによる操作者の個人認証を制御する部分である。暗証番号比較部１０４は操作者が操作パネル１０２を介して入力した暗証番号を暗証番号管理部１０５に予め格納されている登録暗証番号と比較し、操作者の認証を行う部分である。暗証番号管理部１０５は、複合機１０１に登録された暗証番号を格納し管理する部分である。
【００１１】
不揮発性メモリ１０６は、操作者の要求に基づいて複合機１０１が各機能を実行したときのログを記憶する不揮発性のメモリである。処理設定部１０７は、操作者によって操作パネル１０２を介して受け入れた処理の設定を行う部分である。処理実行部１０８は処理設定部１０７の設定結果に基づいて処理を選択する部分である。印刷実行部１０９は印刷処理を実行する部分である。スキャン実行部１１０は、スキャン処理を実行する部分である。ファックス実行部１１１は、ファックス処理を実行する部分である。
【００１２】
ログ格納部１１２は、印刷実行部１０９またはスキャン実行部１１０またはファックス実行部１１１が実行したときのログを不揮発性メモリ１０６に格納する部分である。ログ取得部１１３は、不揮発性メモリ１０６に格納されたログを取得する部分である。パスワード比較部１１４は、操作者が操作パネル１０２を介して入力したパスワードをパスワード管理部１１５に予め格納されているパスワードと比較し、操作者の認証を行う部分である。パスワード管理部１１５は、複合機１０１に登録されたパスワードを格納し管理する部分である。パラメータ管理部１１６は、課金機能の有効・無効、アクセス制御の有効・無効、ログ取得機能の有効・無効を表すパラメータを管理する部分である。一例として通常、内部に各制御項目毎に有効・無効を表示するフラグを有している。
【００１３】
操作パネル制御部１１７は、パラメータ管理部１１６が管理するパラメータを用いて、操作パネル１０２に各種の表示を行って、課金機能、アクセス制御機能、及びログ取得機能を制御する部分である。各種の表示は、表示文字列管理部１１８に予め格納されている文字列を取得して構成される。更に、操作パネル制御部１１７の内部に、モードＯＮ−ＯＦＦ判断手段１１７ａと、モード表示停止手段１１７ｂと、モード状態保存手段１１７ｃと、モード状態復帰手段１１７ｄとを有し、上記「発明が解決しようとする課題」に対処する部分である。
【００１４】
ここで、モードＯＮ−ＯＦＦ判断手段１１７ａは、パラメータ管理部１１６が有するフラグを監視し、現状における各種モードの有効・無効を判断する手段である。モード表示停止手段１１７ｂは、現状における課金機能が有効である場合に、後述する管理者メニューのシステムセットアップ時にアクセス制御モードとログ取得モードの表示を停止させる手段である。モード状態保存手段１１７ｃは、後述する管理者メニューのシステムセットアップ時に課金機能を有効にした場合に、その直前におけるアクセス制御モードとログ取得モードの状態を保存する手段である。この保存は、一例として複合機１０１に備える図示しないＲＡＭに各項目毎のフラグ状態が保存される。あるいは又、不揮発性メモリ１０６に書き込み保存しても良い。モード状態復帰手段１１７ｄは、上記のように管理者メニューのシステムセットアップ時に有効にされた課金機能が再び無効にされたときに、課金機能が有効にされる直前におけるアクセス制御モードとログ取得モードの状態を復帰させる手段である。
【００１５】
表示文字列管理部１１８は、操作パネル１０２に表示する文字列を管理する部分である。以下に、操作パネル制御部１１７が操作パネル１０２に表示する各種表示画面の内容について詳細に説明する。
【００１６】
図３は、課金機能、及びアクセス制御機能が無効の場合の表示画面説明図である。
図の機能選択画面３０１ａ、３０１ｂ、３０１ｃ、および３０１ｄは、操作パネル制御部１１７によって操作パネル１０２に表示される機能選択画面である。操作者が上カーソルキー２１３（図２）、または下カーソルキー２１５（図２）を押下し実行したい機能にカーソルを合わせ、右カーソルキー２１４（図２）を押下し機能を選択する。また、機能選択画面に表示されている「メニュー」にカーソルを合わせ、右カーソルキー２１４（図２）を押下することで、各機能の設定を行うメニュー画面３０５ａが表示される。
【００１７】
コピー画面３０２は、コピー設定画面で、コピーの各設定を行うことができる。コピーを実行したい場合は、コピー画面３０２でボタン２２０（図２）を押下することで、コピーを実行することができる。スキャン画面３０３は、スキャン設定画面で、スキャンの各設定を行うことができる。スキャンを実行したい場合は、スキャン画面３０３でボタン２２０（図２）を押下することで、スキャンを実行することができる。ファックス画面３０４は、ファックス設定画面で、ファックスの各設定を行うことができる。ファックスを実行したい場合は、ファックス画面３０４でボタン２２０（図２）を押下することで、ファックスを実行することができる。
【００１８】
図４は、管理者メニュー選択時の表示画面説明図である。
この図は、メニュー画面３０５ｂで「管理者メニュー」を選択したときの操作パネル１０２（図１）の表示画面２１８に表示される各画面の外観図である。
【００１９】
パスワード入力画面４０１は、複合機１０１を使用するユーザが管理者かどうかを認証する際に表示される。「パスワードを入力してください」というプロンプトを表示し、ユーザがパスワードを入力すると、数値の入力ごとに“＊”を表示する。管理者メニュー画面４０２は、パスワード入力画面４０１で認証が成功すると表示される。管理者メニュー画面４０２によって、複合機１０１のシステムの設定や、プリンタ、スキャナ、ファックスの各設定をすることが可能になる。
【００２０】
図５は、システムセットアップ選択時の表示画面説明図である。
５０１ａ、５０１ｂ、および５０１ｃは、システムセットアップ画面で、上カーソルキー２１３（図２）、または下カーソルキー２１５（図２）を押下し、選択したい項目にカーソルを合わせ、右カーソルキー２１４（図２）を押下することによって選択される。システムセットアップ画面５０１で「課金モード」を選択すると、課金モード画面５０２が表示される。課金モード画面５０２は、課金機能の有効・無効の切り替えが可能で、有効に変更したい場合は「ＯＮ」、無効に変更したい場合は「ＯＦＦ」を選択する。
【００２１】
システムセットアップ画面５０１ｂで「アクセス制御モード」を選択すると、アクセス制御モード画面５０３が表示される。アクセス制御モード画面５０３は、アクセス制御機能の有効・無効の切り替えが可能で、有効に変更したい場合は「ＯＮ」、無効に変更したい場合は「ＯＦＦ」を選択する。システムセットアップ画面５０１ｃで「ログ取得モード」を選択すると、ログ取得モード画面５０４が表示される。ログ取得モード画面５０４は、ログ取得機能の有効・無効の切り替えが可能で、有効に変更したい場合は「ＯＮ」、無効に変更したい場合は「ＯＦＦ」を選択する。
【００２２】
図６は、課金機能またはアクセス制御機能有効時のログイン表示画面説明図である。
暗証番号入力画面６０１は、複合機１０１を使用する操作者を認証する際に表示される。「暗証番号を入力してください」というプロンプトを表示し、操作者が暗証番号を入力すると、数値の入力ごとに“＊”を表示する。入力番号が図９のテーブルに登録されているとき、操作者のログインが成功となり、機能選択画面３０１ａが表示される。
【００２３】
図７は、課金機能またはアクセス制御機能有効時のログアウト表示画面説明図である。
操作者が機能選択画面３０１ｅで「ログアウト」にカーソルを合わせ、右カーソルキー２１４を押下すると、ログアウト画面７０１が表示される。ログアウトする場合は「はい」を、ログアウトしない場合は「いいえ」を選択する。ログアウト画面７０１で「はい」を選択すると、暗証番号入力画面６０１が表示され、「いいえ」を選択すると、機能選択画面３０１ａが表示される。
【００２４】
図８は、課金機能有効時の管理者メニュー表示画面説明図である。
システムセットアップ画面５０１ｄでは「課金モード」のみが選択でき、「課金モード」を選択すると、課金モード画面５０２が表示される。課金モード画面５０２は、課金機能の有効・無効の切り替えが可能で、有効に変更したい場合は「ＯＮ」、無効に変更したい場合は「ＯＦＦ」を選択する。図５のシステムセットアップ画面５０１ａではアクセス制御モードとログ取得モードが表示されていたが、ここではシステムセットアップ画面５０１ｄにアクセス制御モードとログ取得モードが表示されていないことに留意すべきである。即ち、事前に「課金モード」が設定されている場合にはアクセス制御モードとログ取得モードの設定変更が出来ないことになる。
【００２５】
図９は、暗証番号管理テーブルの説明図である。
図に示すように暗証番号は、４〜９桁の数字で構成されており、その登録数は、ユーザが任意で設定できるものとする。暗証番号管理部１０５（図１）により、暗証番号を登録する際に不揮発性メモリ１０６（図１）に書き込まれたり、暗証番号比較部１０４（図１）で暗証番号を確認する際に暗証番号を不揮発性メモリ１０６（図１）から読み込まれたりする。
【００２６】
図１０は、ログ管理テーブルの説明図である。
ログは、課金機能が有効な場合、またはログ取得機能が有効の場合にコピー、スキャン、ファックスの各機能を実行したときのログＩＤ、実行した機能、印刷枚数、開始時刻、終了時刻等のログ情報である。このログ情報には、アクセス制限ＯＮのとき、入力された暗証番号も格納される。印刷実行部１０９（図１）、スキャン実行部１１０（図１）、ファックス実行部１１１（図１）から得られたログ情報は、ログ格納部１１２（図１）によって不揮発性メモリ１０６（図１）に書き込まれる。尚、ログＩＤは実行処理が発生した順に定められるＩＤ−Ｎｏ．である。また、不揮発性メモリ１０６（図１）に書き込まれたログをユーザが確認したい場合は、ログ取得部１１３（図１）が不揮発性メモリ１０６（図１）からログを読み込み、操作パネル１０２（図１）の表示画面２１８に表示することになる。
【００２７】
図１１は、ログ一覧選択時の表示画面説明図である。
「ログ一覧」にカーソルが移動している状態である管理者メニュー画面４０２ｂで、ユーザが右カーソルキー２１４（図２）を押下すると、ログ一覧画面１１０１が表示される。各機能を実行したときのログＩＤ、実行した機能、印刷枚数、開始時刻、終了時刻等のログ情報が不揮発性メモリ１０６に格納されている場合、ログ一覧画面１１０１に、そのログＩＤの一覧が表示される。ユーザがログ情報を確認したい場合、そのログＩＤにカーソルを合わせ、右カーソルキー２１４（図２）を押下すると、ログ情報画面１１０２が表示される。
【００２８】
図１２は、管理者パスワード管理テーブルの説明図である。
パスワードは、６桁〜１２桁の英数字から構成されており、操作者が任意に設定できるものとする。このパスワードは、パスワード管理部１１５（図１）により、パスワードを変更する際に不揮発性メモリ１０６（図１）に書き込まれたり、パスワード比較部１１４（図１）でパスワードを確認する際に不揮発性メモリ１０６（図１）から読み込まれたりする。
【００２９】
図１３は、文字列管理テーブルの説明図である。
文字列管理テーブル３１０１は、操作パネル１０２（図１）の表示画面２１８に表示される各文字列が並べられており、操作パネル制御部１１７（図１）で各画面データが生成される際に表示文字列管理部１１８（図１）により不揮発性メモリ１０６（図１）から読み込まれる。図３〜図８、および図１１の各画面に表示されている文字列は、文字列管理テーブル３１０１に存在するものである。ただし、コピー画面３０２（図３）、およびファックス画面３０４（図４）に表示されている各設定値は、パラメータとして不揮発性メモリ１０６（図１）に格納されているものであり、また、ログ一覧画面１１０１（図１１）、およびログ情報画面１１０２（図１１）に表示されている各ログの値は、ログ管理テーブル１００１（図１０）に存在しているものである。以上説明した実施例１の複合機１０１は、以下のように動作する。
【００３０】
（動作）の説明
図１４は、操作パネルに機能選択画面表示のフローチャートである。
操作パネルに機能選択画面が表示される動作についてステップＳ１３０１からステップＳ１３０６まで図１、図２を併用しながらステップ順に説明する。
【００３１】
ステップＳ１３０１
複合機１０１は、パラメータ管理部１１６より、課金機能、およびアクセス制御機能の有効・無効を表すパラメータを読み込み（フラグを監視し）、課金機能、またはアクセス制御機能が有効の場合にはステップＳ１３０２へ進み、有効でない場合にはステップＳ１３０６へ進む。
【００３２】
ステップＳ１３０２
操作パネル制御部１１７は、表示文字列管理部１１８から「暗証番号を入力して下さい」という文字列を取得し、取得した文字列から暗証番号入力画面６０１（図６）の画面データを生成し、操作パネル１０２の表示画面２１８に表示する。
【００３３】
ステップＳ１３０３
ユーザは、暗証番号入力画面６０１（図６）で、操作パネル１０２のボタン２０１、ボタン２０２、ボタン２０３、ボタン２０４、ボタン２０５、ボタン２０６、ボタン２０７、ボタン２０８、ボタン２０９、およびボタン２１１を使用して暗証番号を入力し、Ｅｎｔｅｒキー２１７で決定しステップＳ１３０４へ進む。暗証番号の入力が完了するまでは、ステップＳ１３０２とステップＳ１３０３とで構成されるループを繰り返し、暗証番号が入力が完了された後このループを抜けてＥｎｔｅｒキー２１７で決定しステップＳ１３０４へ進む。
【００３４】
ステップＳ１３０４
操作パネル制御部１１７は、入力された暗証番号を認証制御部１０３に渡し、認証制御部１０３は、渡された暗証番号を暗証番号比較部１０４に渡す。暗証番号比較部１０４は、不揮発性メモリ１０６に記憶された暗証番号管理テーブル９０１（図９）を暗証番号管理部１０５から取得する。暗証番号比較部１０４は、入力された暗証番号が暗証番号管理テーブル９０１（図９）に存在する場合にはステップＳ１３０６へ進み、存在しない場合にはステップＳ１３０５へ進む。
【００３５】
ステップＳ１３０５
操作パネル制御部１１７は、表示文字列管理部１１８から「暗証番号が違います」という文字列を取得し、取得した文字列からメッセージとなるデータを生成し操作パネル１０２の表示画面２１８に表示し、再び、操作パネル制御部１１７によって、暗証番号入力画面６０１（図６）の画面データが生成され、操作パネル１０２の表示画面２１８に表示される。以後ステップＳ１３０２、ステップＳ１３０３、ステップＳ１３０４、ステップＳ１３０５とで構成されるループを繰り返し、入力された暗証番号が暗証番号管理テーブル９０１（図９）に存在した後このループを抜けてステップＳ１３０６へ進む。このループを抜けることが出来なかった場合（暗証番号が存在しない）にはフローはステップＳ１３０３に戻って中止される。
【００３６】
ステップＳ１３０６
操作パネル制御部１１７は、操作者のログインを許可し、表示文字列管理部１１８から「機能を選択して下さい」、「コピー」、「スキャン」、「ファックス」、「メニュー」、および「ログアウト」という文字列を取得し、取得した文字列から機能選択画面３０１ａ（図６）の画面データを生成し、操作パネル１０２の表示画面２１８に表示してフローを終了する。
【００３７】
図１５は、操作パネルにシステムセットアップ画面表示のフローチャートである。
操作パネルにシステムセットアップ画面を表示される動作についてステップＳ１４０１からステップＳ１４１２まで図１、図２を併用しながらステップ順に説明する。
【００３８】
ステップＳ１４０１
操作者が、「メニュー」にカーソルが移動している状態である機能選択画面３０１ｄ（図３）で右カーソルキー２１４を押下すると、操作パネル制御部１１７は、表示文字列管理部１１８から「メニュー」、「コピーメニュー」、「スキャンメニュー」、「ファックスメニュー」、および「管理者メニュー」という文字列を取得し、取得した文字列からメニュー画面３０５ａの画面データを生成し、操作パネル１０２の表示画面２１８に表示する。
【００３９】
ステップＳ１４０２
操作者がメニュー画面３０５ａ（図３）で下カーソルキー２１５を押下し、「管理者メニュー」にカーソルが移動している状態であるメニュー画面３０５ｂ（図４）で右カーソルキー２１４を押下すると、操作パネル制御部１１７は、表示文字列管理部１１８から「パスワードを入力して下さい」という文字列を取得し、取得した文字列からパスワード入力画面４０１（図４）の画面データを生成し、操作パネル１０２の表示画面２１８に表示する
【００４０】
ステップＳ１４０３
操作者は、パスワード入力画面４０１（図４）で、操作パネル１０２のボタン２０２、ボタン２０３、ボタン２０４、ボタン２０５、ボタン２０６、ボタン２０７、ボタン２０８、ボタン２０９、ボタン２１０、ボタン２１１．およびボタン２１２を使用してパスワードを入力し、Ｅｎｔｅｒキー２１７で決定してステップＳ１４０４へ進む。但し、パスワードが入力されなかった場合には、ステップＳ１４０２とステップＳ１４０３を繰り返し、パスワードが入力され、Ｅｎｔｅｒキー２１７で決定されるとステップＳ１４０４へ進む。パスワードが入力されなかった場合には、フローは、ステップＳ１４０２に止まって中止する。
【００４１】
ステップＳ１４０４
操作パネル制御部１１７によって、メニュー画面３０５ｂ（図４）の画面データが生成され、操作パネル１０２の表示画面２１８に表示される。操作パネル制御部１１７は、入力されたパスワードを認証制御部１０３に渡し、認証制御部１０３は、渡されたパスワードをパスワード比較部１１４に渡す。パスワード比較部１１４は、不揮発性メモリ１０６に記憶されたパスワード管理テーブル１２０１（図１２）をパスワード管理部１１５から取得する。パスワード比較部１１４は入力されたパスワードがパスワード管理テーブル１２０１（図１２）に存在するかどうか確認する。入力されたパスワードがパスワード管理テーブル１２０１（図１２）に存在した場合にはステップＳ１４０６へ進み、存在しなかった場合にはステップＳ１４０５へ進む。
【００４２】
ステップＳ１４０５
操作パネル制御部１１７は、表示文字列管理部１１８から「パスワードが違います」という文字列を取得し、取得した文字列からメッセージとなるデータを生成し操作パネル１０２の表示画面２１８に表示し、再び、操作パネル制御部１１７によって、メニュー画面３０５ｂの画面データが生成され、操作パネル１０２の表示画面２１８に表示される。以下、ステップＳ１４０２からステップＳ１４０５で構成されるループを繰り返し、入力されたパスワードがパスワード管理テーブル１２０１（図１２）に存在した場合には、このループを抜けてステップＳ１４０６へ進む。このループを抜けることが出来なかった場合（パスワードが存在しない）にはフローはステップＳ１４０２に戻ってフローを中止する。
【００４３】
ステップＳ１４０６
操作者が管理者であると認証され、操作パネル制御部１１７は、表示文字列管理部１１８から「管理者メニュー」、「システムセットアップ」、「プリンタセットアップ」、「スキャナセットアップ」、および「ファックスセットアップ」という文字列を取得し、取得した文字列から管理者メニュー画面４０２ａ（図８）の画面データを生成し、操作パネル１０２の表示画面２１８に表示される。
【００４４】
ステップＳ１４０７
管理者が、「システムセットアップ」にカーソルが移動している状態である管理者メニュー画面４０２ａ（図８）で右カーソルキー２１４を押下するとステップＳ１４０８へ進む。
【００４５】
ステップＳ１４０８
操作パネル制御部１１７のモードＯＮ−ＯＦＦ判断手段１１７ａは、課金機能が有効かどうかを判断し、無効な場合にはステップＳ１４０９へ進み、有効な場合はステップＳ１４１１へ進む。
【００４６】
ステップＳ１４０９
操作パネル制御部１１７によって、表示文字列管理部１１８から「システムセットアップ」、「課金モード」、「アクセス制御モード」、および「ログ取得モード」という文字列を取得され、取得された文字列からシステムセットアップ画面５０１ａ（図５）の画面データが生成され、操作パネル１０２の表示画面２１８に表示される。
【００４７】
ステップＳ１４１０
モード状態復帰手段１１７ｄは、図示しないＲＡＭに「アクセス制御モード」と「ログ取得モード」のモード状態が保存されていればパラメータ管理部１１６に復帰させてフローを終了する。課金機能が初期設定時に無効であったものが初期設定以後に有効にされるとモード状態が保存されているはずだからである。
【００４８】
ステップＳ１４１１
操作パネル制御部１１７によって、表示文字列管理部１１８から「システムセットアップ」、「課金モード」という文字列を取得し、取得した文字列からシステムセットアップ画面５０１ｄ（図８）の画面データが生成され、操作パネル１０２の表示画面２１８に表示する。ここでは、モード表示停止手段１１７ｂによって「アクセス制御モード」及び「ログ取得モード」の表示が停止されている。
【００４９】
ステップＳ１４１２
モード状態保存手段１７ｃは、現状における「アクセス制御モード」と「ログ取得モード」の状態を図示しないＲＡＭに各項目毎のフラグ状態として保存してフローを終了する。
【００５０】
図１６は、課金機能またはアクセス制御機能が有効時ログアウトのフローチャートである。
課金機能、またはアクセス制御機能が有効の場合に、複合機にログインしたユーザが操作パネルからログアウトするときの動作についてステップＳ１５０１からステップＳ１５０４まで図１、図２を併用しながらステップ順に説明する。
【００５１】
ステップＳ１５０１
ユーザが最後にキー操作してから所定のタイムアウト時間が経過していない場合にはステップＳ１５０２へ進み、経過した場合にステップＳ１５０４へ進む。
【００５２】
ステップＳ１５０２
「ログアウト」にカーソルが移動している状態である機能選択画面３０１ｅ（図７）で右カーソルキー２１４を押下すると。操作パネル制御部１１７によって、表示文字列管理部１１８から「ログアウトしますか？」、「はい」、および「いいえ」という文字列を取得され、その文字列からログアウト画面７０１（図７）の画面データが生成され、操作パネル１０２の表示画面２１８に表示される。
【００５３】
ステップＳ１５０３
ユーザがログアウト画面７０１（図７）で「はい」を押した場合はステップＳ１５０４へ進み、「いいえ」を押した場合はステップＳ１５０２へ戻り、「はい」が押されるかタイムアウトするとステップＳ１５０４へ進む。
【００５４】
ステップＳ１５０４
操作パネル制御部１１７は、認証制御部１０３にユーザをログアウトするように指示し、認証制御部１０３は、複合機１０１からユーザをログアウトしてフローを終了する。
【００５５】
図１７は、課金機能またはログ取得機能有効時ログ情報書き込みフローチャートである。
課金機能、またはログ取得機能が有効の場合に、ユーザが各機能を実行したときのログ情報書き込み処理の動作についてステップＳ１６０１からステップＳ１６０３まで図１、図２を併用しながらステップ順に説明する。
【００５６】
ステップＳ１６０１
例えば、ユーザがコピーを実行したい場合、「コピー」にカーソルが移動している状態である機能選択画面３０１ａ（図３）で右カーソルキー２１４を押下すると、操作パネル制御部１１７は、表示文字列管理部１１８から「コピー」、「コピー枚数」という文字列を取得し、また、パラメータ管理部１１６から、各設定値を表すパラメータを読み込み、取得した文字列、および設定値からコピー画面３０２（図３）の画面データを生成し、操作パネル１０２の表示画面２１８に表示する。コピー画面３０２（図３）でユーザがコピーの各設定を行うと、操作パネル制御部１１７は、設定情報を処理設定部１０７に渡し、処理設定部１０７は、渡された処理情報に従って各設定を行い、設定後、ボタン２２０が押下されると、処理実行部１０８は、印刷実行部１０９に処理の実行を命令し、ユーザが指定したコピーが実行される。
【００５７】
ステップＳ１６０２
コピー処理実行中に、操作パネル制御部１１７のモードＯＮ−ＯＦＦ判断手段１１７ａが課金機能およびログ取得機能の有効・無効を判断し、課金機能、またはログ取得機能が有効である場合にはステップＳ１６０３へ進み、有効でない場合には複合機１０１は、ログ情報の書き込みを行わずにフローを終了する。
【００５８】
ステップＳ１６０３
印刷実行部１０９は、ログ管理テーブル１００１で表されるログＩＤ、実行した機能、印刷枚数、開始時刻、終了時刻等のログ情報をログ格納部１１２に渡し、ログ格納部１１２は、渡されたログ情報を不揮発性メモリ１０６に格納する。ログ情報の書き込みが終了すると、複合機１０１は、コピー処理を終了させてフローを終了する。
【００５９】
図１８は、操作パネルにログ情報画面表示時のフローチャートである。
操作パネルにログ情報画面を表示するときの動作について、ステップＳ１７０１からステップＳ１７１１まで図１、図２を併用しながらステップ順に説明する。
【００６０】
ステップＳ１７０１
操作者が、「メニュー」にカーソルが移動している状態である機能選択画面３０１ｄ（図３）で右カーソルキー２１４を押下すると、操作パネル制御部１１７は、表示文字列管理部１１８から「メニュー」、「コピーメニュー」、「スキャンメニュー」、「ファックスメニュー」、および「管理者メニュー」という文字列を取得し、取得した文字列からメニュー画面３０５ａ（図３）の画面データを生成し、操作パネル１０２の表示画面２１８に表示する。
【００６１】
ステップＳ１７０２
操作者がメニュー画面３０５ａ（図３）で下カーソルキー２１５を押下し、「管理者メニュー」にカーソルが移動している状態であるメニュー画面３０５ｂ（図４）で右カーソルキー２１４を押下すると、操作パネル制御部１１７は、表示文字列管理部１１８から「パスワードを入力して下さい」という文字列を取得し、取得した文字列からパスワード入力画面４０１（図４）の画面データを生成し、操作パネル１０２の表示画面２１８に表示する
【００６２】
ステップＳ１７０３
操作者は、パスワード入力画面４０１（図４）で、操作パネル１０２のボタン２０１、ボタン２０２、ボタン２０３、ボタン２０４、ボタン２０５、ボタン２０６、ボタン２０７、ボタン２０８、ボタン２０９、およびボタン２１１を使用してパスワードを入力し、Ｅｎｔｅｒキー２１７で決定するとステップＳ１７０４へ進む。但し、パスワードが入力されなかった場合には、ステップＳ１７０２とステップＳ１７０３を繰り返し、パスワードが入力され、Ｅｎｔｅｒキー２１７で決定されるとステップＳ１７０４へ進む。パスワードが入力されなかった場合には、フローは、ステップＳ１７０２に止まって中止する。
【００６３】
ステップＳ１７０４
操作パネル制御部１１７によって、メニュー画面３０５ａ（図３）の画面データが生成され、操作パネル１０２の表示画面２１８に表示される。操作パネル制御部１１７は、入力されたパスワードを認証制御部１０３に渡し、認証制御部１０３は、渡されたパスワードをパスワード比較部１１４に渡す。パスワード比較部１１４は、不揮発性メモリ１０６に記憶されたパスワード管理テーブル１２０１（図１２）をパスワード管理部１１５から取得する。パスワード比較部１１４は入力されたパスワードがパスワード管理テーブル１２０１（図１２）に存在するかどうか確認する。入力されたパスワードがパスワード管理テーブル１２０１（図１２）に存在した場合にはステップＳ１７０６へ進み、存在しなかった場合にはステップＳ１７０５へ進む。
【００６４】
ステップＳ１７０５
操作パネル制御部１１７は、表示文字列管理部１１８から「パスワードが違います」という文字列を取得し、取得した文字列からメッセージとなるデータを生成し操作パネル１０２の表示画面２１８に表示し、再び、操作パネル制御部１１７によって、メニュー画面３０５ａの画面データが生成され、操作パネル１０２の表示画面２１８に表示される。以下、ステップＳ１７０２からステップＳ１７０５で構成されるループを繰り返し、入力されたパスワードがパスワード管理テーブル１２０１（図１２）に存在した場合には、このループを抜けてステップＳ１７０６へ進む。このループを抜けることが出来なかった場合（パスワードが存在しない）にはフローはステップＳ１７０２に戻ってフローを中止する。
【００６５】
ステップＳ１７０６
操作者が管理者であると認証され、操作パネル制御部１１７は、表示文字列管理部１１８から「管理者メニュー」、「システムセットアップ」、「プリンタセットアップ」、「スキャナセットアップ」、および「ファックスセットアップ」という文字列を取得し、取得した文字列から管理者メニュー画面４０２ａ（図５）の画面データを生成し、操作パネル１０２の表示画面２１８に表示される。
【００６６】
ステップＳ１７０７
管理者が、「ログ一覧」にカーソルが移動している状態である管理者メニュー画面４０２ａ（図５）で右カーソルキー２１４を押下するとステップＳ１７０８へ進む。
【００６７】
ステップＳ１７０８
不揮発性メモリ１０６にログが格納されている場合にはステップＳ１７１０へ進み、格納されていない場合にはステップＳ１７０９へ進む。
【００６８】
ステップＳ１７０９
操作パネル制御部１１７は、表示文字列管理部１１８から「ログはありません」という文字列を取得し、取得した文字列からメッセージとなるデータを生成し操作パネル１０２の表示画面２１８に表示し、再び、ステップＳ１７０６へ戻ってフローを中止する。
【００６９】
ステップＳ１７１０
ログ取得部１１３は、不揮発性メモリ１０６からログを取得し、取得したログを操作パネル制御部１１７に渡し、操作パネル制御部１１７は、表示文字列管理部１１８から「ログ一覧」という文字列を取得し、取得した文字列と、取得したログ情報の中から抜き出したログＩＤの値からログ一覧画面１１０１（図１１）の画面データを生成し、操作パネル１０２の表示画面２１８に表示する。
【００７０】
ステップＳ１７１１
ログ一覧画面１１０１（図１１）で、ユーザが確認したいログのログＩＤにカーソルを合わせ、右カーソルキーを押下すると、操作パネル制御部１１７は、表示文字列管理部１１８から「ログ情報」、「ログＩＤ」、「機能」、「印刷枚数」、「開始時刻」、および「終了時刻」という文字列を取得し、取得した文字列と、取得したログ情報の中から抜き出した各ログの値からログ情報画面１１０２（図１１）の画面データを生成し、操作パネル１０２の表示画面２１８に表示してフローを終了する。
【００７１】
（効果）の説明
以上説明したように、本実施例によれば、課金機能が有効の場合に、操作パネルでのアクセス制御機能、およびログ取得機能の設定画面を非表示にし、操作パネルからアクセス制御機能、およびログ取得機能の設定を不可能にすることによって、操作パネルの操作性を向上させるとともに、操作者の混乱を防ぐという効果を得る。
【実施例２】
【００７２】
上記実施例１では、操作者が操作パネル１０２（図１）を介して複合機に対して直接、各モードの有効・無効を制御する場合のみに本発明を適用することが可能であった。一方本実施例では、操作者が複合機の外部に接続されている上位装置からコマンドを送信して各モードの有効・無効を制御することを可能にする。
【００７３】
（構成）の説明
図１９は、実施例２の複合機の構成を説明する機能ブロック図である。
図に示すように、実施例２の複合機１８０１は、操作パネル１０２と、暗証番号比較部１０４と、暗証番号管理部１０５と、処理設定部１０７と、処理実行部１０８と、印刷実行部１０９と、スキャン実行部１１０と、ファックス実行部１１１と、ログ格納部１１２と、パスワード比較部１１４と、パスワード管理部１１５、パラメータ管理部１１６と、表示文字列管理部１１８と、認証制御部１８０３と、不揮発性メモリ１８０６と、ログ取得部１８１３と、コマンド受信部１８１６と、コマンド解析部１８１７と、コマンド処理部１８１８と、データ送信部１８１９と、操作パネル制御部１８２１とを備える。更に、実施例２の複合機１８０１は、ログ表示ツール１９０１と接続して複合機システム２０００を構成する。以下に実施例１との相違部分のみについて詳細に説明する。実施例１と同様の部分については、実施例１と同一の符号を付して説明を省略する。
【００７４】
認証制御部１８０３は、暗証番号やパスワードによる操作者の個人認証を制御する部分である。実施例１の認証制御部１０３は、操作パネル１０２を介して操作者の入力する暗証番号やパスワードを受け入れて認証したが、本実施例の認証制御部１８０３は、更に、ログ表示ツール１９０１からコマンドを受信して、コマンドに基づく認証をも可能とする部分である。
【００７５】
不揮発性メモリ１８０６は、操作者の要求に基づいて複合機１８０１が各機能を実行したときのログを記憶する不揮発性のメモリである。更に、実施例１の不揮発性メモリ１０６の機能に加えて、コマンド処理部１８１８を介するログ表示ツール１９０１による制御をも可能とする。ログ取得部１８１３は、不揮発性メモリ１８０６に格納されたログを取得する部分である。但し、実施例１のログ取得部１１３は、操作パネル１０２を介する操作者の要求に基づいてのみ動作するが、本実施例ではログ表示ツール１９０１からの要求に基づく動作をも可能とする部分である。
【００７６】
コマンド受信部１８１６は、ログ表示ツール１９０１から送信されるＰＪＬコマンドを受信する部分である。コマンド解析部１８１７は、コマンド受信部１８１６が受信したコマンドを解析する部分である。コマンド処理部１８１８は、コマンド解析部１８１７が解析したＰＪＬコマンドを処理する部分である。データ送信部１８１９は、ログ取得部１８１３から渡されたログ情報をログ表示ツール１９０１へ送信する部分である。
【００７７】
操作パネル制御部１８２１は、実施例１の操作パネル制御部１１７は、操作パネル１０２から受け入れる制御要求に基づいて、操作パネル１０２に各種の表示を行って、課金機能、アクセス制御機能、及びログ取得機能を制御していたが、本実施例による操作パネル制御部１８２１は、装置の外部に接続されるログ表示ツール１９０１から受け入れるコマンドに基づいて、課金機能、アクセス制御機能、及びログ取得機能を制御する部分である。更に、その内部にデータ送信手段１８２１ａを有し、データ送信部１８１９を介してログ表示ツール１９０１へ、認証制御部１８０３による判断結果、ログ情報、パラメータ管理部１１６によるモード状態などを含む各種データを送信する部分である。その他の部分は実施例１の対応する部分（同一符号）と同様なので説明を省略する。
【００７８】
ログ表示ツール１９０１は、通信線路（ネットワークを含む）を介して複合機１８０１とデータ（コマンドを含む）を送受信し、各種の制御要求を行う部分であり、通常はＰＣ（パーソナルコンピュータ）の機能によって構成される。以下にログ表示ツール１９０１について詳細に説明する。
図２０は、ログ表示ツールの外観説明図（その１）である。
図２１は、ログ表示ツールの外観説明図（その２）である。
両図は、ホストＰＣ上に予めインストールされたログ表示ツール１９０１（図１９）の外観を表している。
【００７９】
図２０に示すように、ログ表示ツール１９０１は、ログの一覧を表示する場合に押下するログ一覧ボタン１９０２と、課金機能、アクセス制御機能、ログ取得機能の各設定を行う場合に押下するシステム設定ボタン１９０３と、ログの一覧が表示されるログ一覧表示欄１９０４とを有する。各ボタンの押下により、各ボタンの機能を要求するＰＪＬコマンドが複合機に対して出力される。ログの内容については、実施例１で説明したログの内容と同様なので説明を省略する。暗証番号入力画面１９０５は、ログ表示ツール１９０１の起動時に表示される画面で、暗証番号入力欄１９０６に暗証番号を入力し、ＯＫボタン１９１７を押下し、操作者のログインが成功すると、ログ表示ツール１９０１が表示される。又、操作者のログインが失敗すると、暗証番号が違う旨のメッセージ表示画面１９０７が表示される。暗証番号は、実施例１で説明した暗証番号と同様の機能であるため説明を省略する。
【００８０】
上記ログインが成功した場合に操作者がログ一覧ボタン１９０２、またはシステム設定ボタン１９０３を押下すると、図２１に示すパスワード入力画面１９０９が表示される。操作者がパスワード入力画面１９０９にパスワードを入力し、ＯＫボタン１９１８を押下し、操作者が管理者として認証されると、図２０に示すログ一覧表示欄１９０４にログの一覧が表示される。または、図２１に示すシステム設定画面１９１３が表示される。システム設定画面１９１３は、課金機能の設定をするときに押下する課金機能ボタン１９１４と、アクセス制御機能の設定をするときに押下するアクセス制御機能ボタン１９１５と、ログ取得機能の設定をするときに押下するログ取得機能ボタン１９１６とを有する。操作者が管理者として認証されない場合には図２１に示すパスワードが異なる旨のメッセージ表示画面１９１１が表示される。パスワードについては、実施例１で説明したパスワードと同様の内容であるため、説明を省略する。
【００８１】
図２２は、システム設定画面の説明図（その１）である。
この図は、システム設定画面１９１３（図２１）で、課金機能ボタン１９１４を押下したときのログ表示ツール１９０１の外観図である。
【００８２】
システム設定画面１９１３で、課金機能ボタン１９１４を押下すると、課金機能設定画面２００１が表示される。課金機能設定画面２００１は、ＯＮボタン２００２と、ＯＦＦボタン２００３とからなる。課金機能設定画面２００１でＯＮボタン２００２を押下すると、メッセージ表示画面２００４が表示される。課金機能設定画面２００１でＯＦＦボタン２００３を押下すると、メッセージ表示画面２００６が表示される。
【００８３】
図２３は、システム設定画面の説明図（その２）である。
この図は、システム設定画面１９１３（図２１）で、アクセス制御機能ボタン１９１５を押下したときのログ表示ツール１９０１の外観図である。
【００８４】
システム設定画面１９１３で、アクセス制御機能ボタン１９１５を押下すると、アクセス制御機能設定画面２１０１が表示される。アクセス制御機能設定画面２１０１は、ＯＮボタン２１０２と、ＯＦＦボタン２１０３とを有する。アクセス制御機能設定画面２１０１でＯＮボタン２１０２を押下すると、メッセージ表示画面２１０４が表示される。アクセス制御機能設定画面２１０１でＯＦＦボタン２１０３を押下すると、メッセージ表示画面２１０６が表示される。課金機能が有効の場合に、ＯＮボタン２１０２、またはＯＦＦボタン２１０３を押下すると、課金機能が有効のため、アクセス制御機能の設定が出来ない旨のメッセージ表示画面２１０８が表示される。この状態は実施例１のシステムセットアップ画面５０１ｄ（図８）にアクセス制御モードとログ取得モードが表示されていないことと同意義である。即ち、事前に「課金モード」が設定されている場合にはアクセス制御モードとログ取得モードの設定変更が出来ないことになる。
【００８５】
図２４は、システム設定画面の説明図（その３）である。
この図は、システム設定画面１９１３（図２１）で、ログ取得機能ボタン１９１６を押下したときのログ表示ツール１９０１の外観図である。
【００８６】
システム設定画面１９１３で、ログ取得機能ボタン１９１６を押下すると、ログ取得機能設定画面２２０１が表示される。ログ取得機能設定画面２２０１は、ＯＮボタン２２０２と、ＯＦＦボタン２２０３とを有する。ログ取得機能設定画面２２０１でＯＮボタン２２０２を押下すると、メッセージ表示画面２２０４が表示される。ログ取得機能設定画面２２０１でＯＦＦボタン２２０３を押下すると、メッセージ表示画面２１０６が表示される。課金機能が有効の場合に、ＯＮボタン２２０２、またはＯＦＦボタン２２０３を押下すると、課金機能が有効のため、ログ取得機能の設定が出来ない旨のログ取得機能メッセージ表示画面２２０８が表示される。これは図２３における場合と同意義である。
【００８７】
実施例１で説明した、暗証番号管理テーブル９０１（図９）、ログ管理テーブル１００１（図１０）、及び管理者パスワード管理テーブル１２０１（図１２）は、同一の内容で本実施例でも用いられるので説明を省略する。以上説明した複合機システム２０００（実施例２の複合機１８０１を含む）は、以下のように動作する。
【００８８】
（動作）の説明
図２５は、ログ表示ツールにおけるログ一覧表示のフローチャートである。
ログ表示ツール１９０１（図１９）にログ情報画面を表示するときの動作について、ステップＳ２３０１からステップＳ２３１３まで図１９を併用しながらステップ順に説明する。
【００８９】
ステップＳ２３０１
操作者がログ表示ツール１９０１を起動する。
【００９０】
ステップＳ２３０２
暗証番号入力画面１９０５（図２０）が表示される。
【００９１】
ステップＳ２３０３
操作者は、暗証番号を入力し、ＯＫボタン１９１７（図２０）を押下する。暗証番号が入力されなかった場合は、再びステップＳ２３０２へ戻ってログ表示ツール１９０１（図２０）に暗証番号入力画面１９０５（図２０）が表示され、暗証番号が入力されるまで待機し、暗証番号が入力されるとステップＳ２３０４へ進む。
【００９２】
ステップＳ２３０４
ログ表示ツール１９０１は、入力された暗証番号を付加したＰＪＬコマンドを複合機１８０１に送信する。送信されたＰＪＬコマンドは、複合機１８０１のコマンド受信部１８１６で受信される。コマンド受信部１８１６は、受信した上記ＰＪＬコマンドをコマンド解析部１８１７に渡す。コマンド解析部１８１７は、受信したＰＪＬコマンドが暗証番号の入力を表すものだと判断すると、コマンド処理部１８１８によって、ＰＪＬコマンドに付加された暗証番号は認証制御部１８０３に渡される。認証制御部１８０３は、渡された暗証番号を暗証番号比較部１０４に渡す。暗証番号比較部１０４は、不揮発性メモリ１８０６に記憶された暗証番号管理テーブル９０１（図９）を暗証番号管理部１０５から取得する。暗証番号比較部１０４は、取得した暗証番号管理テーブル９０１（図９）に、入力された暗証番号が存在するかどうか確認する。入力された暗証番号が取得した暗証番号管理テーブル９０１に存在しなかった場合にはステップＳ２３０５へ進み、存在した場合にはステップＳ２３０７へ進む。
【００９３】
ステップＳ２３０５
ログ表示ツール１９０１は、メッセージ表示画面１９０７（図２０）を表示する。
【００９４】
ステップＳ２３０６
操作者によって、ＯＫボタン１９０８（図２０）が押下されると、ステップＳ２３０２へ戻って、再び、暗証番号入力画面１９０５（図２０）が表示される。以下、ステップＳ２３０２〜ステップＳ２３０６を繰り返しながら暗証番号が訂正され、訂正された暗証番号が取得した暗証番号管理テーブル９０１に存在した場合にはステップＳ２３０７へ抜ける。訂正不可能になった場合にはステップＳ２３０２へ戻ってフローを中止する。
【００９５】
ステップＳ２３０７
操作者のログインを許可し、ログ表示ツール１９０１（図２０）が表示される。
【００９６】
ステップＳ２３０８
操作者によって、ログ一覧ボタン１９０２（図２０）が押下されると、パスワード入力画面１９０９（図２１）が表示される。
【００９７】
ステップＳ２３０９
操作者によって、ログ一覧ボタン１９０２（図２０）が押下されると、パスワード入力画面１９０９（図２１）が表示される。操作者がパスワードを入力し、ＯＫボタン１９１８（図２１）を押下するとステップＳ２３１０へ進む。パスワードが入力されなかった場合はステップＳ２３０７へ戻り、パスワードの入力を待って待機する。
【００９８】
ステップＳ２３１０
ログ表示ツール１９０１は、入力されたパスワードを付加したＰＪＬコマンドを複合機１８０１に送信する。送信されたＰＪＬコマンドは、複合機１８０１のコマンド受信部１８１６で受信される。コマンド受信部１８１６は、受信したＰＪＬコマンドをコマンド解析部１８１７に渡す。コマンド解析部１８１７は、受信したＰＪＬコマンドがパスワードの入力を表すものだと判断すると、コマンド処理部１８１８によって、ＰＪＬコマンドに付加されたパスワードを認証制御部１８０３に渡す。認証制御部１８０３は、渡されたパスワードをパスワード比較部１１４に渡す。パスワード比較部１１４は、不揮発性メモリ１８０６に記憶されたパスワード管理テーブル１２０１をパスワード管理部１１５から取得する。パスワード比較部１１４は、取得したパスワード管理テーブル１２０１に、入力されたパスワードが存在するかどうか確認する。入力されたパスワードが取得したパスワード管理テーブル１２０１（図１２）に存在しなかった場合はステップＳ２３１１へ進む。存在した場合はステップＳ２３１３へ進む。
【００９９】
ステップＳ２３１１
メッセージ表示画面１９１１（図２１）が表示される。
【０１００】
ステップＳ２３１２
操作者によって、ＯＫボタン１９１２（図２１）が押下されると、再び、ログ表示ツール１９０１（図２１）が表示される。以下ステップＳ２３０７〜ステップＳ２３１２で構成されるループを繰り返し、パスワードが訂正されればステップＳ２３１３へ抜ける。訂正されない場合にはメッセージ表示画面１９１１（図２１）が表示されフローは中止する。
【０１０１】
ステップＳ２３１３
ユーザが管理者として認証され、ログ取得部１８１３は、不揮発性メモリ１８０６からログを取得し、データ送信部１８１９に渡す。データ送信手段１８２１ａは、データ送信部１８１９を制御し、渡されたログをログ表示ツール１９０１に送信し、ログ表示ツール１９０１は、ログ一覧表示欄１９０４にログの一覧を表示してフローを終了する。
【０１０２】
図２６は、ログ表示ツールにおけるシステム設定画面表示のフローチャートである。
ログ表示ツール１９０１（図１９）にシステム設定画面を表示するときの動作について、ステップＳ２４０１からステップＳ２４１３まで図１９を併用しながらステップ順に説明する。
【０１０３】
ステップＳ２４０１
操作者がログ表示ツール１９０１を起動する。
【０１０４】
ステップＳ２４０２
暗証番号入力画面１９０５（図２０）が表示される。
【０１０５】
ステップＳ２４０３
操作者は、暗証番号を入力し、ＯＫボタン１９１７（図２０）を押下する。暗証番号が入力されなかった場合は、再びステップＳ４０２へ戻ってログ表示ツール１９０１（図２０）に暗証番号入力画面１９０５（図２０）が表示される。暗証番号が入力された場合は、ステップＳ２４０４へ進む。
【０１０６】
ステップＳ２４０４
ログ表示ツール１９０１は、入力された暗証番号を付加したＰＪＬコマンドを複合機１８０１に送信する。送信されたＰＪＬコマンドは、複合機１８０１のコマンド受信部１８１６で受信される。コマンド受信部１８１６は、受信した上記ＰＪＬコマンドをコマンド解析部１８１７に渡す。コマンド解析部１８１７は、受信したＰＪＬコマンドが暗証番号の入力を表すものだと判断すると、コマンド処理部１８１８によって、ＰＪＬコマンドに付加された暗証番号は認証制御部１８０３に渡される。認証制御部１８０３は、渡された暗証番号を暗証番号比較部１０４に渡す。暗証番号比較部１０４は、不揮発性メモリ１８０６に記憶された暗証番号管理テーブル９０１（図９）を暗証番号管理部１０５から取得する。暗証番号比較部１０４は、取得した暗証番号管理テーブル９０１（図９）に、入力された暗証番号が存在するかどうか確認する。入力された暗証番号が取得した暗証番号管理テーブル９０１に存在しなかった場合にはステップＳ２４０５へ進み、存在した場合にはステップＳ２４０７へ進む。
【０１０７】
ステップＳ２４０５
ログ表示ツール１９０１は、メッセージ表示画面１９０７（図２０）を表示する。
【０１０８】
ステップＳ２４０６
操作者によって、ＯＫボタン１９０８（図２０）が押下されると、ステップＳ２４０２へ戻って、再び暗証番号入力画面１９０５（図２０）が表示される。以下、ステップＳ２４０２〜ステップＳ２４０６で構成されるループを繰り返しながら暗証番号が訂正され、訂正された暗証番号が取得した暗証番号管理テーブル９０１に存在した場合にはステップＳ２４０７へ抜ける。訂正不可能になった場合にはステップＳ２４０２へ戻ってフローを中止する。
【０１０９】
ステップＳ２４０７
操作者のログインを許可し、ログ表示ツール１９０１（図２０）が表示される。
【０１１０】
ステップＳ２４０８
操作者によって、システム設定ボタン１９０３（図２０）が押下されると、パスワード入力画面１９０９（図２１）が表示される。
【０１１１】
ステップＳ２４０９
操作者によって、ログ一覧ボタン１９０２（図２０）が押下されると、パスワード入力画面１９０９（図２１）が表示される。操作者がパスワードを入力し、ＯＫボタン１９１８（図２１）を押下するとステップＳ２４１０へ進む。パスワードが入力されなかった場合は
ステップＳ２４０７へ戻り、パスワードの入力を待って待機する。
【０１１２】
ステップＳ２４１０
ログ表示ツール１９０１は、入力されたパスワードを付加したＰＪＬコマンドを複合機１８０１に送信する。送信されたＰＪＬコマンドは、複合機１８０１のコマンド受信部１８１６で受信される。コマンド受信部１８１６は、受信したＰＪＬコマンドをコマンド解析部１８１７に渡す。コマンド解析部１８１７は、受信したＰＪＬコマンドがパスワードの入力を表すものだと判断すると、コマンド処理部１８１８によって、ＰＪＬコマンドに付加されたパスワードは認証制御部１８０３に渡される。認証制御部１８０３は、渡されたパスワードをパスワード比較部１１４に渡す。パスワード比較部１１４は、不揮発性メモリ１８０６に記憶されたパスワード管理テーブル１２０１をパスワード管理部１１５から取得する。パスワード比較部１１４は、取得したパスワード管理テーブル１２０１に入力されたパスワードが存在するかどうか確認する。入力されたパスワードが取得したパスワード管理テーブル１２０１（図１２）に存在しなかった場合はステップＳ２４１１へ進む。存在した場合はステップＳ２４１３へ進む。
【０１１３】
ステップＳ２４１１
メッセージ表示画面１９１１（図２１）が表示される。
【０１１４】
ステップＳ２４１２
操作者によって、ＯＫボタン１９１２（図２１）が押下されると、再び、ログ表示ツール１９０１（図２１）が表示される。以下ステップＳ２４０７〜ステップＳ２４１２で構成されるループを繰り返しパスワードが訂正されればステップＳ２４１３へ抜ける。訂正されない場合にはメッセージ表示画面１９１１（図２１）が表示されフローは中止する。
【０１１５】
ステップＳ２４１３
ユーザが管理者として認証され、システム設定画面１９１３（図２１）が表示されフローを終了する。
【０１１６】
図２７は、ログ表示ツールにおける課金機能有効設定のフローチャートである。
ログ表示ツール１９０１（図１９）で、課金機能を有効に設定するときの動作について、ステップＳ２５０１からステップＳ２５０７まで図１９を併用しながらステップ順に説明する。
【０１１７】
ステップＳ２５０１
管理者によって、課金機能ボタン１９１４（図２２）が押下される。
【０１１８】
ステップＳ２５０２
課金機能設定画面２００１（図２２）が表示される。
【０１１９】
ステップＳ２５０３
管理者によって、課金機能設定画面２００１（図２２）で、ＯＮボタン２００２が押下される。
【０１２０】
ステップＳ２５０４
ログ表示ツール１９０１は、課金機能を有効に設定するＰＪＬコマンドを複合機１８０１に送信する。送信されたＰＪＬコマンドは、複合機１８０１のコマンド受信部１８１６で受信し、コマンド受信部１８１６は、受信したＰＪＬコマンドをコマンド解析部１８１７に渡す。コマンド解析部１８１７は、受信したＰＪＬコマンドが課金機能を有効に設定するものだと判断すると、モード状態保存手段１１７ｃは、現状における「アクセス制御モード」と「ログ取得モード」の状態を図示しないＲＡＭに各項目毎のフラグ状態として保存する。
【０１２１】
ステップＳ２５０５
コマンド処理部１８１８によって、課金機能が有効に設定され、ログ表示ツール１９０１は、メッセージ表示画面２００４（図２２）を表示する。
【０１２２】
ステップＳ２５０６
管理者によって、ＯＫボタン２００５（図２２）が押下される。
【０１２３】
ステップＳ２５０７
メッセージ表示画面２００４（図２２）が閉じられ、フローを終了する。
【０１２４】
図２８は、ログ表示ツールにおける課金機能無効設定のフローチャートである。
ログ表示ツールで、課金機能を無効に設定するときの動作について、ステップＳ２６０１からステップＳ２６０７まで図１９を併用しながらステップ順に説明する。
【０１２５】
ステップＳ２６０１
管理者によって、課金機能ボタン１９１４（図２２）が押下される。
【０１２６】
ステップＳ２６０２
課金機能設定画面２００１（図２２）が表示される。
【０１２７】
ステップＳ２６０３
管理者によって、課金機能設定画面２００１（図２２）で、ＯＦＦボタン２００３が押下される。
【０１２８】
ステップＳ２６０４
ログ表示ツール１９０１は、課金機能を無効に設定するＰＪＬコマンドを複合機１８０１に送信する。送信されたＰＪＬコマンドは、複合機１８０１のコマンド受信部１８１６で受信し、コマンド受信部１８１６は、受信したＰＪＬコマンドをコマンド解析部１８１７に渡す。コマンド解析部１８１７は、受信したＰＪＬコマンドが課金機能を無効に設定するものだと判断すると、モード状態復帰手段１１７ｄは、図示しないＲＡＭに「アクセス制御モード」と「ログ取得モード」のモード状態が保存されていればパラメータ管理部１１６に復帰させる。課金機能が初期設定時に無効であったものが初期設定以後に有効にされるとモード状態が保存されているはずだからである。
【０１２９】
ステップＳ２６０５
コマンド処理部１８１８によって、課金機能が無効に設定され、ログ表示ツール１９０１は、メッセージ表示画面２００６（図２２）を表示する。
【０１３０】
ステップＳ２６０６
管理者によって、ＯＫボタン２００７（図２２）が押下される。
【０１３１】
ステップＳ２５０７
メッセージ表示画面２００６（図２２）が閉じられ、フローを終了する。
【０１３２】
図２９は、ログ表示ツールにおけるアクセス制御機能有効設定のフローチャートである。
ログ表示ツールで、アクセス制御機能を有効に設定するときの動作について、ステップＳ２７０１からステップＳ２７１０まで図１９を併用しながらステップ順に説明する。
【０１３３】
ステップＳ２７０１
管理者によって、アクセス制御機能ボタン１９１５（図２３）が押下される。
【０１３４】
ステップＳ２７０２
アクセス制御機能設定画面２１０１（図２３）が表示される。
【０１３５】
ステップＳ２７０３
管理者によって、アクセス制御機能設定画面２１０１（図２３）で、ＯＮボタン２１０２が押下される。
【０１３６】
ステップＳ２７０４
モードＯＮ―ＯＦＦ判断手段１１７ａが課金機能が現時点で無効であると判断した場合にはステップＳ２７０５へ進み、有効であると判断した場合にはステップＳ２７０８へ進む。
【０１３７】
ステップＳ２７０５
ログ表示ツール１９０１は、アクセス制御機能を有効に設定するＰＪＬコマンドを複合機１８０１に送信する。送信されたＰＪＬコマンドは、複合機１８０１のコマンド受信部１８１６で受信される。コマンド受信部１８１６は、受信したＰＪＬコマンドをコマンド解析部１８１７に渡す。コマンド解析部１８１７は、受信したＰＪＬコマンドがアクセス制御機能を有効に設定するものだと判断すると、コマンド処理部１８１８は、パラメータ管理部１１６が有するアクセス制御機能のフラグを有効に設定する。
【０１３８】
ステップＳ２７０６
管理者によってＯＫボタン２１０５（図２３）が押下される。
【０１３９】
ステップＳ２７０７
メッセージ表示画面２１０４（図２３）が閉じられ、フローを終了する。
【０１４０】
ステップＳ２７０８
ログ表示ツール１９０１は、課金機能が有効のため、アクセス制御機能の設定が出来ない旨のメッセージ表示画面２１０８（図２３）を表示する。
【０１４１】
ステップＳ２７０９
管理者によって、ＯＫボタン２１０９（図２３）が押下される。
【０１４２】
ステップＳ２７１０
メッセージ表示画面２１０８（図２３）が閉じられ、フローを終了する。
【０１４３】
図３０は、ログ表示ツールにおけるアクセス制御機能無効設定のフローチャートである。
ログ表示ツールで、アクセス制御機能を無効に設定するときの動作について、ステップＳ２８０１からステップＳ２８１０まで図１９を併用しながらステップ順に説明する。
【０１４４】
ステップＳ２８０１
管理者によって、アクセス制御機能ボタン１９１５（図２３）が押下される。
【０１４５】
ステップＳ２８０２
アクセス制御機能設定画面２１０１（図２３）が表示される。
【０１４６】
ステップＳ２８０３
管理者によって、アクセス制御機能設定画面２１０１（図２３）で、ＯＦＦボタン２１０３が押下される。
【０１４７】
ステップＳ２８０４
モードＯＮ―ＯＦＦ判断手段１１７ａが課金機能が現時点で無効であると判断した場合にはステップＳ２８０５へ進み、有効であると判断した場合にはステップＳ２８０８へ進む。
【０１４８】
ステップＳ２８０５
ログ表示ツール１９０１は、アクセス制御機能を無効に設定するＰＪＬコマンドを複合機１８０１に送信する。送信されたＰＪＬコマンドは、複合機１８０１のコマンド受信部１８１６で受信される。コマンド受信部１８１６は、受信したＰＪＬコマンドをコマンド解析部１８１７に渡す。コマンド解析部１８１７は、受信したＰＪＬコマンドがアクセス制御機能を無効に設定するものだと判断すると、コマンド処理部１８１８は、パラメータ管理部１１６が有するアクセス制御機能のフラグを無効に設定する。
【０１４９】
ステップＳ２８０６
管理者によってＯＫボタン２１０７（図２３）が押下される。
【０１５０】
ステップＳ２８０７
メッセージ表示画面２１０６（図２３）が閉じられ、フローを終了する。
【０１５１】
ステップＳ２８０８
ログ表示ツール１９０１は、課金機能が有効のため、アクセス制御機能の設定が出来ない旨のメッセージ表示画面２１０８（図２３）を表示する。
【０１５２】
ステップＳ２７０９
管理者によって、ＯＫボタン２１０９（図２３）が押下される。
【０１５３】
ステップＳ２７１０
メッセージ表示画面２１０８（図２３）が閉じられ、フローを終了する。
【０１５４】
図３１は、ログ表示ツールにおけるログ取得機能有効設定のフローチャートである。
ログ表示ツールで、ログ取得機能を有効に設定するときの動作について、ステップＳ２９０１からステップＳ２９１０まで図１９を併用しながらステップ順に説明する。
【０１５５】
ステップＳ２９０１
管理者によって、ログ取得機能ボタン１９１６（図２３）が押下される。
【０１５６】
ステップＳ２９０２
ログ取得機能設定画面２２０１（図２４）が表示される。
【０１５７】
ステップＳ２９０３
管理者によって、ログ取得機能設定画面２２０１（図２４）で、ＯＮボタン２２０２が押下される。
【０１５８】
ステップＳ２９０４
モードＯＮ―ＯＦＦ判断手段１１７ａが課金機能が現時点で無効であると判断した場合にはステップＳ２９０５へ進み、有効であると判断した場合にはステップＳ２９０８へ進む。
【０１５９】
ステップＳ２９０５
ログ表示ツール１９０１は、ログ取得機能を有効に設定するＰＪＬコマンドを複合機１８０１に送信する。送信されたＰＪＬコマンドは、複合機１８０１のコマンド受信部１８１６で受信される。コマンド受信部１８１６は、受信したＰＪＬコマンドをコマンド解析部１８１７に渡す。コマンド解析部１８１７は、受信したＰＪＬコマンドがログ取得機能を有効に設定するものだと判断すると、コマンド処理部１８１８は、パラメータ管理部１１６が有するログ取得機能のフラグを有効に設定する。
【０１６０】
ステップＳ２９０６
管理者によってＯＫボタン２２０５（図２４）が押下される。
【０１６１】
ステップＳ２９０７
メッセージ表示画面２２０４（図２４）が閉じられ、フローを終了する。
【０１６２】
ステップＳ２９０８
ログ表示ツール１９０１は、課金機能が有効のため、アクセス制御機能の設定が出来ない旨のメッセージ表示画面２２０８（図２４）を表示する。
【０１６３】
ステップＳ２９０９
管理者によって、ＯＫボタン２１０９（図２４）が押下される。
【０１６４】
ステップＳ２９１０
メッセージ表示画面２２０８（図２４）が閉じられ、フローを終了する。
【０１６５】
図３２は、ログ表示ツールにおけるログ取得機能無効設定のフローチャートである。
ログ表示ツールで、ログ取得機能を無効に設定するときの動作について、ステップＳ３００１からステップＳ３０１０まで図１９を併用しながらステップ順に説明する。
【０１６６】
ステップＳ３００１
管理者によって、ログ取得機能ボタン１９１６（図２４）が押下される。
【０１６７】
ステップＳ３００２
ログ取得機能設定画面２２０１（図２４）が表示される。
【０１６８】
ステップＳ３００３
管理者によって、ログ取得機能設定画面２２０１（図２４）で、ＯＦＦボタン２２０３が押下される。
【０１６９】
ステップＳ３００４
モードＯＮ―ＯＦＦ判断手段１１７ａが課金機能が現時点で無効であると判断した場合にはステップＳ３００５へ進み、有効であると判断した場合にはステップＳ３００８へ進む。
【０１７０】
ステップＳ３００５
ログ表示ツール１９０１は、アクセス制御機能を無効に設定するＰＪＬコマンドを複合機１８０１に送信する。送信されたＰＪＬコマンドは、複合機１８０１のコマンド受信部１８１６で受信される。コマンド受信部１８１６は、受信したＰＪＬコマンドをコマンド解析部１８１７に渡す。コマンド解析部１８１７は、受信したＰＪＬコマンドがログ取得機能を無効に設定するものだと判断すると、コマンド処理部１８１８は、パラメータ管理部１１６が有するログ取得機能のフラグを無効に設定する。
【０１７１】
ステップＳ３００６
管理者によってＯＫボタン２１０７（図２４）が押下される。
【０１７２】
ステップＳ３００７
メッセージ表示画面２２０６（図２４）が閉じられ、フローを終了する。
【０１７３】
ステップＳ３００８
ログ表示ツール１９０１は、課金機能が有効のため、アクセス制御機能の設定が出来ない旨のメッセージ表示画面２２０８（図２４）を表示する。
【０１７４】
ステップＳ３００９
管理者によって、ＯＫボタン２１０９（図２３）が押下される。
【０１７５】
ステップＳ３０１０
メッセージ表示画面２２０８（図２４）が閉じられ、フローを終了する。また、ＰＣ上のツールで防止したが、複合機側でコマンドは受信するが、受けすててＰＣ上へ無効であることを通知しても良い。
【０１７６】
（効果）の説明
以上説明したように、実施例２によれば、操作者が複合機の外部に接続されているホストＰＣ（上位装置）からコマンドを送信して各モードの有効・無効を制御した場合であっても、課金機能が有効の場合に、ＰＪＬコマンドでのアクセス制御機能、およびログ取得機能の設定が出来ないようにし、ログ表示ツールの操作性を向上させるとともに、ユーザの混乱を防ぐという効果が得られる。
【産業上の利用可能性】
【０１７７】
実施例１及び実施例２の説明では、本発明を複合機に適用した場合について説明したが、本発明はこの例に限定されるものではない。即ち、コピー機やプリンタ等の印刷装置にも適用可能である。又、上記両実施例では、課金が有効にされると、アクセス制御機能やログ取得機能の表示を停止することとしたが、上記表示を停止することなく、アクセス制御機能やログ取得機能が選択されると、「選択できません」等の表示を行うこととしても良い。
【図面の簡単な説明】
【０１７８】
【図１】実施例１の複合機の構成を説明するための機能ブロック図である。
【図２】操作パネルの外観構成図である。
【図３】課金機能、及びアクセス制御機能が無効の場合の表示画面説明図である。
【図４】管理者メニュー選択時の表示画面説明図である。
【図５】システムセットアップ選択時の表示画面説明図である。
【図６】課金機能またはアクセス制御機能有効時のログイン表示画面説明図である。
【図７】課金機能またはアクセス制御機能有効時のログアウト表示画面説明図である。
【図８】課金機能有効時の管理者メニュー表示画面説明図である。
【図９】暗証番号管理テーブルの説明図である。
【図１０】ログ管理テーブルの説明図である。
【図１１】ログ一覧選択時の表示画面説明図である。
【図１２】管理者パスワード管理テーブルの説明図である。
【図１３】文字列管理テーブルの説明図である。
【図１４】操作パネルに機能選択画面表示のフローチャートである。
【図１５】操作パネルにシステムセットアップ画面表示のフローチャートである。
【図１６】課金機能またはアクセス制御機能が有効時ログアウトのフローチャートである。
【図１７】課金機能またはログ取得機能有効時ログ情報書き込みフローチャートである。
【図１８】操作パネルにログ情報画面表示時のフローチャートである。
【図１９】実施例２の複合機の構成を説明する機能ブロック図である。
【図２０】ログ表示ツールの外観説明図（その１）である。
【図２１】ログ表示ツールの外観説明図（その２）である。
【図２２】システム設定画面の説明図（その１）である。
【図２３】システム設定画面の説明図（その２）である。
【図２４】システム設定画面の説明図（その３）である。
【図２５】ログ表示ツールにおけるログ一覧表示のフローチャートである。
【図２６】ログ表示ツールにおけるシステム設定画面表示のフローチャートである。
【図２７】ログ表示ツールにおける課金機能有効設定のフローチャートである。
【図２８】ログ表示ツールにおける課金機能無効設定のフローチャートである。
【図２９】ログ表示ツールにおけるアクセス制御機能有効設定のフローチャートである。
【図３０】ログ表示ツールにおけるアクセス制御機能無効設定のフローチャートである。
【図３１】ログ表示ツールにおけるログ取得機能有効設定のフローチャートである。
【図３２】ログ表示ツールにおけるログ取得機能無効設定のフローチャートである。
【符号の説明】
【０１７９】
１０１  複合機
１０２  操作パネル
１０３  認証制御部
１０４  暗証番号比較部
１０５  暗証番号管理部
１０６  不揮発性メモリ
１０７  処理設定部
１０８  処理実行部
１０９  印刷実行部
１１０  スキャン実行部
１１１  ファックス実行部
１１２  ログ格納部
１１３  ログ取得部
１１４  パスワード比較部
１１５  パスワード管理部
１１６  パラメータ管理部
１１７  操作パネル制御部
１１７ａ  モードＯＮ−ＯＦＦ判断手段
１１７ｂ  モード表示停止手段
１１７ｃ  モード状態保存手段
１１７ｄ  モード状態復帰手段
【図１】
2008205949.tif 000003
【図２】
2008205949.tif 000004
【図３】
2008205949.tif 000005
【図４】
2008205949.tif 000006
【図５】
2008205949.tif 000007
【図６】
2008205949.tif 000008
【図７】
2008205949.tif 000009
【図８】
2008205949.tif 000010
【図９】
2008205949.tif 000011
【図１０】
2008205949.tif 000012
【図１１】
2008205949.tif 000013
【図１２】
2008205949.tif 000014
【図１３】
2008205949.tif 000015
【図１４】
2008205949.tif 000016
【図１５】
2008205949.tif 000017
【図１６】
2008205949.tif 000018
【図１７】
2008205949.tif 000019
【図１８】
2008205949.tif 000020
【図１９】
2008205949.tif 000021
【図２０】
2008205949.tif 000022
【図２１】
2008205949.tif 000023
【図２２】
2008205949.tif 000024
【図２３】
2008205949.tif 000025
【図２４】
2008205949.tif 000026
【図２５】
2008205949.tif 000027
【図２６】
2008205949.tif 000028
【図２７】
2008205949.tif 000029
【図２８】
2008205949.tif 000030
【図２９】
2008205949.tif 000031
【図３０】
2008205949.tif 000032
【図３１】
2008205949.tif 000033
【図３２】
2008205949.tif 000034
【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
複数の設定項目を有し、該複数の設定項目の中から所望する設定項目の選択設定が可能な画像形成装置であって、
所定の設定項目が選択設定されると、他の設定項目の設定が停止される設定項目停止手段を備えることを特徴とする画像形成装置。
【請求項２】
複数の設定項目を有し、該複数の設定項目の中から所望する設定項目の選択設定が可能な画像形成装置であって、
所定の設定項目が選択設定されると、他の設定項目が共に設定され、前記所定の設定項目が設定取消されると前記他の設定項目を前記設定以前の状態に復帰させる設定項目復帰手段を備えることを特徴とする画像形成装置。
【請求項３】
前記他の設定項目は、前記所定の設定項目の構成要素に含まれることを特徴とする請求項１または請求項２に記載の画像形成装置。
【請求項４】
前記所定の設定項目が選択設定されると、該選択設定時における前記他の設定項目の設定状態を保存する設定項目保存手段を備えることを特徴とする請求項１に記載の画像形成装置。
【請求項５】
前記所定の設定項目が設定取消されると前記他の設定項目を前記共に設定以前の状態に復帰させる設定項目復帰手段を更に備えることを特徴とする請求項４に記載の画像形成装置。
【請求項６】
前記所定の設定項目は、課金機能を含む項目であり、前記他の設定項目は、アクセス制御機能を含む項目、及びログ取得機能を含む項目の少なくとも一方を含むことを特徴とする請求項１から請求項５までの何れか一項に記載の画像形成装置。
【請求項７】
前記画像形成装置の外部に接続される外部装置から、前記設定項目の選択設定を可能とするデータ送信手段を更に備えることを特徴とする請求項１から請求項６までの何れか一項に記載の画像形成装置。
【手続補正２】
【補正対象書類名】明細書
【補正対象項目名】０００４
【補正方法】変更
【補正の内容】
【０００４】
本発明は、複数の設定項目を有し、該複数の設定項目の中から所望する設定項目の選択設定が可能な画像形成装置であって、所定の設定項目が選択設定されると、他の設定項目の設定が停止される設定項目停止手段を備えることを主要な特徴とする。